(57)【要約】【課題】表示電極と硬軟質印刷回路板との間の接続信頼性を向上させ、ＥＭＩノイズを低減させることができ、さらには部品数を減少させてコストを低減できる、プラズマディスプレイ装置を提供する。【解決手段】画像を実現するプラズマディスプレイパネル１０と、プラズマディスプレイパネル１０に付着して支持するシャーシーベース２２と、プラズマディスプレイパネル１０の背面側でシャーシーベース２２に装着され、プラズマディスプレイパネル１０の表示電極に連結される硬軟質印刷回路板３０と、を備えることを特徴とする。硬軟質印刷回路板３０を用いることにより、異物の流入源になったり、ＥＭＩノイズの発源地になったりするコネクタが不要となり、部品数を減らすことができるとともに、接続信頼性を向上させ、さらにはＥＭＩノイズを低減させることができる。【選択図】図１
2008124412.tif 000002
【特許請求の範囲】
【請求項１】
画像を実現するプラズマディスプレイパネルと、
前記プラズマディスプレイパネルに付着して支持するシャーシーベースと、
前記プラズマディスプレイパネルの背面側で前記シャーシーベースに装着され、前記プラズマディスプレイパネルの表示電極に連結される硬軟質印刷回路板と、
を備えることを特徴とする、プラズマディスプレイ装置。
【請求項２】
前記硬軟質印刷回路板は、
前記シャーシーベースに装着される硬質回路部と、
前記硬質回路部と一体に連結され、前記表示電極に連結される軟質回路部と、
を有することを特徴とする、請求項１に記載のプラズマディスプレイ装置。
【請求項３】
前記硬質回路部は平面方向端部に形成される硬質端子を含み、前記軟質回路部は前記硬質端子に対向して形成される軟質端子を含むことを特徴とする、請求項２に記載のプラズマディスプレイ装置。
【請求項４】
前記硬質回路部は、曲げられた前記軟質回路部との干渉を避けるため、端部が曲線状に面取りされることを特徴とする、請求項３に記載のプラズマディスプレイ装置。
【請求項５】
前記硬質回路部と前記軟質回路部との間に介在し、対向する前記硬質端子と前記軟質端子とを連結する異方性導電フィルムをさらに含むことを特徴とする、請求項３または４に記載のプラズマディスプレイ装置。
【請求項６】
前記硬質回路部は、回路パターンが形成される基板、及び前記回路パターンに連結されて前記基板の一側端部に露出する前記硬質端子、を含み、
前記軟質回路部は、回路パターンが形成される２枚のフィルム、及び前記回路パターンに連結されて一方の前記フィルムに露出する前記軟質端子、を含み、
前記硬質端子及び前記軟質端子は、各々所定のピッチを有して互いに対向し、前記硬質端子及び前記軟質端子の間に密集配置される導電ボールで連結されることを特徴とする、請求項３または４に記載のプラズマディスプレイ装置。
【請求項７】
１個の前記硬質回路部には、複数個の前記軟質回路部が連結されることを特徴とする、請求項２〜６のいずれかに記載のプラズマディスプレイ装置。
【請求項８】
前記表示電極は維持電極及び走査電極を含み、前記軟質回路部は複数の前記維持電極に共通に連結される第１回路パターンを含むことを特徴とする、請求項７に記載のプラズマディスプレイ装置。
【請求項９】
前記表示電極は維持電極及び走査電極を含み、前記軟質回路部は複数の前記走査電極にそれぞれ連結される第２回路パターンを含むことを特徴とする、請求項７または８に記載のプラズマディスプレイ装置。
【請求項１０】
前記表示電極は維持電極及び走査電極を含み、前記シャーシーベースは互いに対向する２つの長辺及び前記長辺と垂直になって互いに対向する２つの短辺を含む四角形状であり、前記硬軟質印刷回路板は、
前記維持電極には軟質回路部として連結され、シャーシーベースの一方の前記短辺側には硬質回路部として装着される維持板と、
走査電極に第１軟質回路部として連結され、前記維持板と対向する前記シャーシーベースの他方の前記短辺側には前記第１硬質回路部に装着される走査板と、
を有することを特徴とする、請求項１に記載のプラズマディスプレイ装置。
【請求項１１】
前記走査板は、前記第１軟質回路部と前記第１硬質回路部との間に連結される走査バッファー板を更に有することを特徴とする、請求項１０に記載のプラズマディスプレイ装置。
【請求項１２】
前記走査バッファー板は、
前記第１軟質回路部と前記第１硬質回路部との間で前記シャーシーベースに装着され、前記第１軟質回路部に接続される第２硬質回路部と、
前記第２硬質回路部と前記第１硬質回路部とを連結する第２軟質回路部と、
を含むことを特徴とする、請求項１１に記載のプラズマディスプレイ装置。
【発明の詳細な説明】
【技術分野】
【０００１】
本発明は、プラズマディスプレイパネルを支持するシャーシーベースの背面に、複数の印刷回路板が装着された、プラズマディスプレイ装置に関するものである。
【背景技術】
【０００２】
一般にプラズマディスプレイ装置は、画像を実現するプラズマディスプレイパネル、このプラズマディスプレイパネルに付着して支持するシャーシーベース、及びこのシャーシーベースに装着されてプラズマディスプレイパネルに連結される複数の印刷回路板を備えている。
【０００３】
プラズマディスプレイパネルは、気体放電によってプラズマを発生させ、このプラズマから放射される真空紫外線（Ｖａｃｕｕｍ  Ｕｌｔｒａ  Ｖｉｏｌｅｔ：ＶＵＶ）で蛍光体を励起させ、励起された蛍光体の安定化によって発生する赤色（Ｒ）、緑色（Ｇ）及び青色（Ｂ）の可視光で映像を実現する。
【０００４】
このプラズマディスプレイパネルは、気体放電のために放電セルに対応して互いに交差するアドレス電極と表示電極とをそれぞれ備える２枚のガラス基板を対向して封着するため、外部衝撃に対して弱く機械的剛性が小さい。したがって、シャーシーベースはプラズマディスプレイパネルを支持するために、ガラス基板よりも機械的剛性の大きい金属材質を用いて形成される。
【０００５】
このシャーシーベースは、プラズマディスプレイパネルを支持する機械的剛性を提供する機能に加えて、印刷回路板を装着する空間を提供する機能、プラズマディスプレイパネルを放熱させる機能、及び電磁気的干渉（Ｅｌｅｃｔｒｏ  Ｍａｇｎｅｔｉｃ  Ｉｎｔｅｒｆｅｒｅｎｃｅ：ＥＭＩ）を接地させる機能を持つ。
【０００６】
また、シャーシーベースが上記のような機能を行えるように、シャーシーベースの前面には両面テープを介在してプラズマディスプレイパネルが付着され、このシャーシーベースの背面には印刷回路板が装着される。
【０００７】
また、シャーシーベースの背面には、複数のボスが備えられ、印刷回路板がこのボス上に置かれて、止めねじが印刷回路板を貫通してボスに締結される。したがって印刷回路板はシャーシーベースに装着される。
【０００８】
プラズマディスプレイパネルの駆動のための各機能を行えるように、印刷回路板は複数具備される。つまり印刷回路板は、維持電極を制御する維持板、走査電極を制御する走査板、アドレス電極を制御するアドレスバッファー板を有している。
【０００９】
プラズマディスプレイパネルの表示電極は、維持電極及び走査電極を有している。各維持電極には共通の維持電圧が印加されるが、走査電極には各々のスキャン電圧が印加される。このスキャン電圧は、スキャンＩＣで発生して走査電極それぞれに順次に印加される。したがって走査板は、別途の走査バッファー板を有し、この走査バッファー板にスキャンＩＣが配置されている。
【００１０】
また印刷回路板は、外部から映像信号を受信して、アドレス電極駆動に必要な制御信号と、維持電極及び走査電極の駆動に必要な制御信号と、を生成し、印刷回路板に印加する映像処理／制御板と、各種板の駆動に必要な電源を供給する電源板と、をさらに有している。
【００１１】
維持板は、プラズマディスプレイパネルの内部から外部に引き出される維持電極に、フレキシブル回路基板（Ｆｌｅｘｉｂｌｅ  Ｐｒｉｎｔｅｄ  Ｃｉｒｃｕｉｔ：ＦＰＣ）及びコネクタによって連結される。走査板も、プラズマディスプレイパネルの内部から外部に引き出される走査電極に、ＦＰＣ及びコネクタによって連結される。そして走査板と走査バッファー板とは、ＦＰＣ及びコネクタによるか、或いはケーブル及びコネクタによって連結される。
【発明の開示】
【発明が解決しようとする課題】
【００１２】
しかし、従来のプラズマディスプレイ装置においては、埃や異物によってコネクタの間の締結不良を発生することがあり、これによってプラズマディスプレイパネルと維持板や走査板との間、及び走査板と走査バッファー板との間の接続信頼性を確保しにくい不具合があり、さらには、ＥＭＩノイズを発生させる問題、及び部品数の増加によってコストを上昇させる問題があった。
【００１３】
そこで、本発明は、このような問題に鑑みてなされたもので、その目的とするところは、プラズマディスプレイパネルの表示電極と硬軟質印刷回路板との間の接続信頼性を向上させ、ＥＭＩノイズを低減させることができ、さらには部品数を減少させてコストを低減できる、プラズマディスプレイ装置を提供することにある。
【課題を解決するための手段】
【００１４】
上記課題を解決するために、本発明のある観点によれば、画像を実現するプラズマディスプレイパネルと、プラズマディスプレイパネルに付着して支持するシャーシーベースと、プラズマディスプレイパネルの背面側でシャーシーベースに装着され、プラズマディスプレイパネルの表示電極に連結される硬軟質印刷回路板と、を備えることを特徴とする、プラズマディスプレイ装置が提供される。
【００１５】
プラズマディスプレイ装置組立時に、従来はＦＰＣ及びコネクタによるか、或いはケーブル及びコネクタによって、プラズマディスプレイパネルと印刷回路板との間や印刷回路板間同士が連結されていたが、本願発明の硬軟質印刷回路板を用いれば、異物の流入源になったり、ＥＭＩノイズの発源地になったりするコネクタが不要となり、部品数を減らすことができるとともに、接続信頼性を向上させることができ、さらにはＥＭＩノイズを低減させることができる。
【００１６】
硬軟質印刷回路板は、シャーシーベースに装着される硬質回路部と、硬質回路部と一体に連結され、表示電極に連結される軟質回路部と、を有することができる。これにより、硬質回路部と軟質回路部のコネクタを用いた連結作業を不要にすることができる。
【００１７】
硬質回路部は平面方向端部に形成される硬質端子を含み、軟質回路部は硬質端子に対向して形成される軟質端子を含むことができる。硬質回路部と軟質回路部とは、それぞれ硬質端子と軟質端子とによって相互連結される。
【００１８】
硬質回路部は、曲げられた軟質回路部との干渉を避けるため、端部を曲線に形成することができる。つまり、端部を曲線状に面取りすることができる。硬質回路部はシャーシーベースの背面に装着され、軟質回路部がプラズマディスプレイパネルに連結されるので、軟質回路部は曲げられた状態を維持する。曲げられた軟質回路部と硬質回路部とが干渉する（接触する）のを防止して、軟質回路部の回路パターンを保護するために、硬質回路部は端部の厚さ方向の角部を面取りして曲線（Ｒ加工等）に形成している。
【００１９】
硬質回路部と軟質回路部との間に介在し、対向する硬質端子と軟質端子とを連結する異方性導電フィルムをさらに含むことができる。コネクタを用いないで硬質端子と軟質端子とを互いに連結する例として、異方性導電フィルム用いることができる。
【００２０】
硬質回路部は、回路パターンが形成される基板、及び回路パターンに連結されて基板の一側端部に露出する硬質端子、を含み、軟質回路部は、回路パターンが形成される２枚のフィルム、及び回路パターンに連結されて一方のフィルムに露出する軟質端子、を含み、硬質端子及び軟質端子は、各々所定のピッチを有して互いに対向し、硬質端子及び軟質端子の間に密集配置される導電ボールで連結することができる。
【００２１】
軟質回路部は、１個の硬質回路部に複数個連結されることができる。つまり、１個の硬質回路部には、複数個の軟質回路部が連結されることができる。また、表示電極は維持電極及び走査電極を含み、軟質回路部は複数の維持電極に共通に連結される第１回路パターンを含むことができる。プラズマディスプレイパネルの維持電極には共通電圧が印加されるので第１回路パターンは、複数の維持電極に共通に連結される構造を持つ。
【００２２】
表示電極は維持電極及び走査電極を含み、軟質回路部は複数の走査電極にそれぞれ連結される第２回路パターンを含むことができる。走査電極には、放電セルを選択できるように各々選択的に駆動電圧が印加される。
【００２３】
表示電極は維持電極及び走査電極を含み、シャーシーベースは互いに対向する２つの長辺及び長辺と垂直になって互いに対向する２つの短辺を含む四角形状であり、硬軟質印刷回路板は、維持電極には軟質回路部として連結され、シャーシーベースの一方の短辺側には硬質回路部として装着される維持板と、走査電極に第１軟質回路部として連結され、維持板と対向するシャーシーベースの他方の短辺側には第１硬質回路部に装着される走査板と、を有することができる。こうして維持電極には維持板が連結され、走査電極には走査板が連結される。
【００２４】
走査板は、第１軟質回路部と第１硬質回路部との間に連結される走査バッファー板を更に有することができる。ここで、走査バッファー板は、第１軟質回路部と第１硬質回路部との間でシャーシーベースに装着され、第１軟質回路部に接続される第２硬質回路部と、第２硬質回路部と第１硬質回路部とを連結する第２軟質回路部と、を含むことができる。走査電極には、各々スキャン電圧が印加されるが、走査バッファー板に配置されたスキャンＩＣによって走査電極それぞれに順次印加される。
【発明の効果】
【００２５】
以上詳述したように本発明によれば、従来のコネクタによる連結をせず、硬軟質印刷回路板をシャーシーベースに装着しながらプラズマディスプレイパネルの表示電極に連結することによって、表示電極と硬軟質印刷回路板の間の接続信頼性を向上させ、また、硬軟質印刷回路板を互いに連結することによって硬軟質印刷回路板間の接続信頼性を向上させることができる。さらには、ＥＭＩノイズの発源地になることがあるコネクタを用いないのでＥＭＩノイズを低減させる効果があり、部品数を減少させてコストを低減させることができる。
【発明を実施するための最良の形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
図１は、本実施の形態によるプラズマディスプレイ装置を分解して、概略的に示した斜視図である。この図面を参照して説明すれば、プラズマディスプレイ装置は気体放電を用いて、画像を表示するプラズマディスプレイパネル１０と、放熱シート２１と、シャーシーベース２２と、印刷回路板２３と、硬軟質印刷回路板３０と、を備えている。
【００２８】
プラズマディスプレイパネル１０は、所定の間隔に維持される２枚の基板を、例えば、前面基板１１と背面基板１２とを相互封着して形成される。図２を参照して、ｘｙ平面を基準に見れば、プラズマディスプレイパネル１０は互いに対向する２長辺と、この２長辺にそれぞれ直交する２短辺を有する平面四角形からなる。背面基板１２が破線で示されているので、前面基板１１を基準に説明すれば、前面基板１１は２長辺１１ａ、１１ｂと、この２長辺１１ａ、１１ｂにそれぞれ直交する２短辺１１ｃ、１１ｄを有する。
【００２９】
例えば、プラズマディスプレイパネル１０は、気体放電を発生させるように相互交差して配置される表示電極４０とアドレス電極（図示せず）とを備え、相互交差する位置に放電セルＤＣを備える。この表示電極４０は、放電セルＤＣ内で互いに対向する維持電極４１と走査電極４２とを有し、この維持電極４１と走査電極４２とは、相互間に放電ギャップＤＧを形成する。
【００３０】
図３を参照して、ｘｚ平面を基準に見れば、表示電極４０は前面基板１１と背面基板１２との内部に具備される。より具体的に見れば、表示電極４０は前面基板１１の内側表面に形成されて誘電層４３で覆われる。便宜上、図３には表示電極４０を除く、例えば、放電セルＤＣ及びアドレス電極のような構成要素が省略されている。
【００３１】
維持電極４１と走査電極４２とは、それぞれ前面基板１１の長辺１１ａ、１１ｂと平行な状態でｘ軸方向に沿って伸張形成され、またｙ軸方向に沿って相互間に放電ギャップＤＧを形成する。維持電極４１は前面基板１１の２短辺１１ｃ、１１ｄのうちの一側短辺１１ｃで引き出しされて、前面基板１１の端部に形成される端子４１ａに連結される。走査電極４２は他の短辺１１ｄで引き出しされて、前面基板１１の端部に形成される端子４２ａに連結される。
【００３２】
再び、図１及び図３を参照すれば、放熱シート２１はプラズマディスプレイパネル１０の背面基板１２に備えられて、気体放電によってプラズマディスプレイパネル１０で発生する熱をｘｙ平面方向に伝導放散させる。この放熱シート２１は、プラズマディスプレイパネル１０で発生する熱を伝導及び放散させるようにアクリル系放熱材、グラファイト系放熱材、金属系放熱材、または炭素ナノチューブ系放熱材のように銀材質からなることができる。図３で放熱シート２１とシャーシーベース２２とは互いに密着した状態で示されているが、実際に両者の間には微細な間隔（図示せず）が形成されている。したがってプラズマディスプレイパネル１０の駆動で発生する熱のうちの大部分の熱は放熱シート２１によって放散及び放射される。
【００３３】
シャーシーベース２２は、前面に放熱シート２１を置いて両面テープ２６でプラズマディスプレイパネル１０の背面基板１２に付着して、プラズマディスプレイパネル１０を支持する。またシャーシーベース２２はプラズマディスプレイパネル１０の反対側つまり、背面に印刷回路板２３及び硬軟質印刷回路板３０を装着している。したがってシャーシーベース２２は前面にプラズマディスプレイパネル１０を支持して、背面に印刷回路板２３及び硬軟質印刷回路板３０を支持できる機械的剛性を有する。
【００３４】
本実施の形態では、印刷回路板２３についてというよりも硬軟質印刷回路板３０に関して説明するものである。したがって通常の印刷回路板２３についての説明を省略する。
【００３５】
一般にプラズマディスプレイ装置は、プラズマディスプレイパネルを駆動するために複数の印刷回路板を備える。本実施の形態では、従来の印刷回路板とともに複数の硬軟質印刷回路板３０を備えている。プラズマディスプレイパネル１０を制御するためには、全ての印刷回路板を硬軟質印刷回路板３０として形成することもできるが、本実施の形態においては、一部にだけ硬軟質印刷回路板３０を適用している。
【００３６】
例えば、本実施の形態においては、アドレスバッファー板２３ａ、映像処理／制御板２３ｂ、及び電源板２３ｃが通常の印刷回路板２３として形成され、維持板３１及び走査板３２が硬軟質印刷回路板３０からなる。したがって以下では、例えば維持板３１及び走査板３２についてを、硬軟質印刷回路板３０として説明する。
【００３７】
図１及び図２を参照すれば、硬軟質印刷回路板３０のうち、維持板３１の一側は維持電極４１の端子４１ａに連結されて駆動電圧が印加され、走査板３２の一側は走査電極４２の端子４２ａに連結されて駆動電圧が印加される。また維持板３１及び走査板３２のそれぞれ他側は、シャーシーベース２２に装着される。
【００３８】
説明の便宜のためにシャーシーベース２２を先ず説明すれば、シャーシーベース２２は互いに対向する２長辺２２ａ、２２ｂと、この長辺２２ａ、２２ｂと垂直になって互いに対向する２短辺２２ｃ、２２ｄを有する四角形の板状になる。したがってプラズマディスプレイパネル１０で、前面基板１１の２長辺１１ａ、１１ｂはシャーシーベース２２の２長辺２２ａ、２２ｂに対応して、前面基板１１の２短辺１１ｃ、１１ｄはシャーシーベース２２の２短辺２２ｃ、２２ｄに対応する。
【００３９】
図１を参照すれば、維持板３１はシャーシーベース２２の１短辺２２ｃ側に装着され、走査板３２はシャーシーベース２２の他の１短辺２２ｄ側に装着される。維持板３１は、シャーシーベース２２に装着される硬質回路部１３１と（図１参照）、維持電極４１に連結される軟質回路部２３１を有している（図３参照）。
【００４０】
図４を参照すれば、維持板３１の硬質回路部１３１は、シャーシーベース２２に複数に備えられるボス２４上に置かれ、このボス２４に締結される止めねじ２５によって固定される。軟質回路部２３１は、硬質回路部１３１に一体に連結され、また維持電極４１にも一体に連結される。
【００４１】
図５及び図６を参照すれば、硬質回路部１３１は、回路パターン１３１ａ（図７参照）が形成される基板１３１ｂと、この回路パターン１３１ａに連結されて基板１３１ｂの一側端部に露出される硬質端子１３１ｃと、を含む。基板１３１ｂがプラズマディスプレイパネル１０と並んで配置されるので、硬質端子１３１ｃはプラズマディスプレイパネル１０のｘｙ平面方向端部に形成される。
【００４２】
図７を参照すれば、軟質回路部２３１は第１回路パターン２３１ａを形成する２枚のフィルム２３１ｂ、２３１ｃと、この第１回路パターン２３１ａに連結される一方、フィルム２３１ｂに露出される軟質端子２３１ｄと、を有する。この軟質端子２３１ｄは硬質端子１３１ｃに対向して形成される。
【００４３】
また、プラズマディスプレイパネル１０で維持電極４１には共通電圧が印加されるので第１回路パターン２３１ａは、複数の維持電極４１に共通に連結される構造を持つ（図２参照）。つまり、軟質回路部２３１は一つに形成される第１回路パターン２３１ａを有して、この第１回路パターン２３１ａには複数の維持電極４１が連結される。第１回路パターン２３１ａを有する軟質回路部２３１は、複数個備えられて一つの硬質回路部１３１に連結できる（図１、図２及び図４参照）。
【００４４】
この硬質回路部１３１と軟質回路部２３１とは、それぞれ硬質端子１３１ｃと軟質端子２３１ｄとによって相互連結される。硬質端子１３１ｃと軟質端子２３１ｄとは、それぞれ所定のピッチ（Ｐ）を有して互いに対向し（図５及び図６参照）、両端子の間に密集配置される導電ボールＣＢによって連結される（図６及び図７参照）。微細なピッチ（Ｐ）を有して互いに対向する硬質端子１３１ｃと軟質端子２３１ｄとを互いに連結するための導電ボールＣＢは、異方性導電フィルム（Ａｎｉｓｏｔｒｏｐｉｃ  Ｃｏｎｄｕｃｔｉｖｅ  Ｆｉｌｍ：ＡＣＦ）を例に挙げられる。
【００４５】
維持板３１の硬質回路部１３１が、１短辺２２ｃ側シャーシーベース２２の背面に装着され、軟質回路部２３１がプラズマディスプレイパネル１０の維持電極４１に連結される。したがって軟質回路部２３１は、図３に示すようにプラズマディスプレイ装置で曲がった状態を維持する。また図７に示すように軟質回路部２３１は、仮想線で示す状態に硬質回路部１３１側でベンディング力を受けるようになる。この時、曲がった軟質回路部２３１と硬質回路部１３１との干渉を防止し、軟質回路部２３１の回路パターン２３１ａを保護する必要がある。このために硬質回路部１３１は、厚さ方向の角部を面取りして、端部を曲線に形成している。
【００４６】
このような硬軟質印刷回路板３０つまり、硬質回路部１３１と軟質回路部２３１とが接続されて一体に形成される維持板３１を用いれば、プラズマディスプレイ装置組立時に、硬質回路部１３１と軟質回路部２３１とをコネクタで連結する必要がなくなり、部品数を減らすことができる。
【００４７】
さらに、維持電極４１に連結される維持板３１の硬質回路部１３１は、別途の連結作業なしに一体に連結される構造を有するので、維持電極４１と硬質回路部１３１との間の接続信頼性を向上させることができて、また異物の流入処になるか、或いはＥＭＩノイズの発源地になるコネクタを用いないことによって、ＥＭＩノイズを低減させることができる。
【００４８】
図３を参照すれば、維持電極４１の端子４１ａと軟質回路部２３１の接続部には、第１シーリング部２７ａ及び第２シーリング部２７ｂが形成されている。第１シーリング部２７ａは、前面基板１１の短辺１１ｃとこれに隣接する軟質回路部２３１の一面との間の空間を充填して、接続部に異物及び水分が流入されることを防止する。第２シーリング部２７ｂは、背面基板１２とこれに隣接する軟質回路部２３１の他の一面との間の空間を充填して、接続部に異物及び水分が流入することを防止する。この第１シーリング部２７ａ及び第２シーリング部２７ｂは、シリコン樹脂で形成することができる。
【００４９】
再び図１を参照すれば、走査板３２は、シャーシーベース２２の他の１短辺２２ｄ側に装着され、シャーシーベース２２に装着される第１硬質回路部１３２（図１参照）と、走査電極４２とに連結される第１軟質回路部２３２と、を有している（図３の維持電極連結構造参照）。また、走査板３２は、走査バッファー板３３をさらに有している。走査バッファー板３３は、第１軟質回路部２３２と第１硬質回路部１３２との間に連結される。
【００５０】
走査板３２は、全体的には、維持板３１と同様な構造でシャーシーベース２２に装着されるので、ここでは同一構造についての説明を省略し、維持板３１と異なる部分についてのみ説明する。つまり、走査板３２及び走査バッファー板３３は、維持板３１のようにボス２４及び止めねじ２５でシャーシーベース２２に装着される。
【００５１】
維持電極４１とは違って、走査電極４２は放電セルＤＣを選択できるように、各々の走査電極４２に選択的に駆動電圧が印加される。したがって走査板３２の第１軟質回路部２３２は、複数の走査電極４２それぞれに連結される第２回路パターン２３２ａを備える（図２参照）。第２回路パターン２３２ａに連結される軟質端子（図示せず）は、それぞれ独立的に形成されて走査電極４２それぞれに独立的に接続される。
【００５２】
走査バッファー板３３は、第２硬質回路部１３３と第２軟質回路部２３３とを有している。第２硬質回路部１３３は、第１軟質回路部２３２と第１硬質回路部１３２との間で、対向するシャーシーベース２２に装着されて、第１軟質回路部２３２と接続される。第２軟質回路部２３３は第２硬質回路部１３３に一体に形成されて、第１硬質回路部１３２に接続される。これによって、走査電極４２は第１軟質回路部２３２、第２硬質回路部１３３及び第２軟質回路部２３３によって、第１硬質回路部１３２に接続される。
【００５３】
維持板３１に適用される硬質回路部１３１と軟質回路部２３１との連結構造を有する硬軟質印刷回路板３０は、走査板３２及び走査バッファー板３３にも同様に適用できる。
【００５４】
維持板３１の硬質端子１３１ｃ、軟質端子２３１ｄ、及び硬質端子１３１ｃと軟質端子２３１ｄとの間に介在される導電ボールＣＢは、走査板３２及び走査バッファー板３３の第１硬質回路部１３２及び第２硬質回路部１３３と、第２軟質回路部２３３及び第１軟質回路部２３２とを接続する構造に同様に適用でき、したがってこれについての具体的な説明を省略する。
【００５５】
このように維持板３１、走査板３２、及び走査バッファー板３３に硬軟質印刷回路板３０を適用する場合、維持電極４１及び走査電極４２と硬軟質印刷回路板３０との各々の間の接続信頼性を向上させ、更にＥＭＩノイズを低減させることができる。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５７】
本発明は、プラズマディスプレイパネルを支持するシャーシーベースの背面に、複数の印刷回路板が装着された、プラズマディスプレイ装置に適用可能である。
【図面の簡単な説明】
【００５８】
【図１】本実施の形態によるプラズマディスプレイ装置の分解斜視図である。
【図２】本実施の形態によるプラズマディスプレイ装置の硬軟質印刷回路板とプラズマディスプレイパネル表示電極との接続状態を背面側から見た説明図である。
【図３】図２のIII−III線に沿った断面図である。
【図４】本実施の形態によるプラズマディスプレイ装置の硬軟質印刷回路板を示す分解斜視図である。
【図５】図４における硬質回路部及び軟質回路部の分解斜視図である。
【図６】図５のVI−VI線に沿った断面図である。
【図７】図５のVII−VII線に沿った断面図である。
【符号の説明】
【００５９】
１０      プラズマディスプレイパネル
１１      前面基板
１１ａ    長辺
１１ｂ    長辺
１１ｃ    短辺
１１ｄ    短辺
１２      背面基板
２２      シャーシーベース
２３      印刷回路板
３０      硬軟質印刷回路板
３１      維持板
３２      走査板
３３      走査バッファー板
４０      表示電極
４１      維持電極
４１ａ    端子
４２      走査電極
４２ａ    端子
１３１      硬質回路部
１３２      第１硬質回路部
１３３      第２硬質回路部
２３１      軟質回路部
２３１ａ    第１回路パターン
２３２      第１軟質回路部
２３２ａ    第２回路パターン
２３３      第２軟質回路部
【図１】
2008124412.tif 000003
【図２】
2008124412.tif 000004
【図３】
2008124412.tif 000005
【図４】
2008124412.tif 000006
【図５】
2008124412.tif 000007
【図６】
2008124412.tif 000008
【図７】
2008124412.tif 000009